(57)【特許請求の範囲】
【請求項１】
機体と、
この機体に設けられ、圃場面を被覆したマルチフィルムを前記圃場面から剥離するフィルム剥離手段と、
前記機体の前側下部に設けられ、前記フィルム剥離手段によるマルチフィルムの剥離によりこのマルチフィルムのマルチ孔に挿通された状態で倒伏状態から起立状態になった茎葉部を前記マルチフィルムの下方位置で切断する茎葉部切断手段と、
この茎葉部切断手段にて茎葉部が切断された収穫物を掘り起こす掘起体と
を具備したことを特徴とする収穫機。
【請求項２】
フィルム剥離手段は、切断された茎葉部がマルチフィルムの表面上を略一側方に向って自重により移動してこのマルチフィルムの一側縁から自重落下するように、前記マルチフィルムを一側方に向けて下方向に傾斜させながら剥離する
ことを特徴とする請求項１記載の収穫機。
【請求項３】
フィルム剥離手段は、
機体の上部にこの機体の幅方向に沿って配設されマルチフィルムを巻取り回収するフィルム巻取りローラと、
前記機体の前側下部から後ろ斜め上方に向って設けられマルチフィルムを前記フィルム巻取りローラに案内するフィルムガイド体とを有する
ことを特徴とする請求項１または２記載の収穫機。
【請求項４】
フィルム剥離手段は、
フィルムガイド体の上方位置に配設されマルチフィルムを前記フィルムガイド体とともに挟むフィルム押えローラを有する
ことを特徴とする請求項３記載の収穫機。
【請求項５】
機体の前側下部から後側上方に向って配設され掘起体にて掘り起こされた収穫物を搬送する搬送コンベヤと、
この搬送コンベヤにて搬送された収穫物を収容するコンテナを載置するコンテナ台と
を具備したことを特徴とする請求項１ないし４のいずれかに記載の収穫機。
【請求項６】
圃場面を被覆したマルチフィルムを圃場面から剥離することにより、このマルチフィルムのマルチ孔に挿通されて倒伏状態にある茎葉部を起立状態にし、
この起立状態になった茎葉部をマルチフィルムで保持しながらこのマルチフィルムの下方位置で切断し、
切断した茎葉部を一側方に向けて下方向に傾斜したマルチフィルムの表面上を略一側方に向って自重により移動させてこのマルチフィルムの一側縁から圃場面上に自重落下させ、
茎葉部が切断された収穫物を土中から掘り起こす
ことを特徴とする収穫方法。
【発明の詳細な説明】
【０００１】
【発明の属する技術分野】
本発明は、マルチ栽培により圃場に植生された収穫物を収穫する収穫機および収穫方法に関する。
【０００２】
【従来の技術】
従来、この種の収穫機として、例えば、トラクタの後部に装着され、このトラクタからの動力により、玉葱等の収穫物をマルチフィルムの回収と同時に収穫する収穫機が知られている。
【０００３】
そして、この収穫機は、例えば、マルチフィルムを圃場面から上方に剥離しつつ回収するフィルム剥離手段を機体の上部に設け、かつ、この機体の前側下部に前記マルチフィルムのマルチ孔から上方に突出した茎葉部を切断する回転カッタ等にて構成した茎葉部切断手段を設け、この茎葉部切断手段の後方にこの茎葉部切断手段にて茎葉部が切断された収穫物を掘り起こす掘起体を配設した構成が採られている。
【０００４】
【発明が解決しようとする課題】
しかしながら、上記従来の収穫機では、マルチフィルムのマルチ孔から突出した茎葉部が無秩序に倒伏状態にある場合に、この茎葉部が茎葉部切断手段にて適切に切断されないと、後で手作業で茎葉部を適切な状態に切断しなければならず、収穫作業の効率が悪い問題を有している。
【０００５】
本発明は、このような点に鑑みなされたもので、効率良く収穫作業をすることができる収穫機および収穫方法を提供することを目的とする。
【０００６】
【課題を解決するための手段】
請求項１記載の収穫機は、機体と、この機体に設けられ、圃場面を被覆したマルチフィルムを前記圃場面から剥離するフィルム剥離手段と、前記機体の前側下部に設けられ、前記フィルム剥離手段によるマルチフィルムの剥離によりこのマルチフィルムのマルチ孔に挿通された状態で倒伏状態から起立状態になった茎葉部を前記マルチフィルムの下方位置で切断する茎葉部切断手段と、この茎葉部切断手段にて茎葉部が切断された収穫物を掘り起こす掘起体とを具備したものである。
【０００７】
そして、フィルム剥離手段によるマルチフィルムの剥離によりこのマルチフィルムのマルチ孔に挿通された状態で倒伏状態から起立状態になった茎葉部が、茎葉部切断手段にてマルチフィルムの下方位置で切断されるので、この茎葉部がマルチフィルムにて一定の姿勢に保持された状態で所定の位置で切断されることとなる。
【０００８】
請求項２記載の収穫機は、請求項１記載の収穫機において、フィルム剥離手段は、切断された茎葉部がマルチフィルムの表面上を略一側方に向って自重により移動してこのマルチフィルムの一側縁から自重落下するように、前記マルチフィルムを一側方に向けて下方向に傾斜させながら剥離するものである。
【０００９】
そして、フィルム剥離手段が、マルチフィルムを一側方に向けて下方向に傾斜させながら剥離するので、切断された茎葉部が、マルチフィルムの表面上を略一側方に向って自重により移動してこのマルチフィルムの一側縁から自重落下し、圃場面上に機体の進行方向に沿って廃棄される。
【００１０】
請求項３記載の収穫機は、請求項１または２記載の収穫機において、フィルム剥離手段は、機体の上部にこの機体の幅方向に沿って配設されマルチフィルムを巻取り回収するフィルム巻取りローラと、前記機体の前側下部から後ろ斜め上方に向って設けられマルチフィルムを前記フィルム巻取りローラに案内するフィルムガイド体とを有するものである。
【００１１】
そして、フィルムガイド体がマルチフィルムをフィルム巻取りローラに案内し、この案内されたマルチフィルムをそのフィルム巻取りローラが巻取り回収する。
【００１２】
請求項４記載の収穫機は、請求項３記載の収穫機において、フィルム剥離手段は、フィルムガイド体の上方位置に配設されマルチフィルムを前記フィルムガイド体とともに挟むフィルム押えローラを有するものである。
【００１３】
そして、マルチフィルムがフィルム押えローラとフィルムガイド体とで挟まれ、一定の姿勢に保持される。
【００１４】
請求項５記載の収穫機は、請求項１ないし４のいずれかに記載の収穫機において、機体の前側下部から後側上方に向って配設され掘起体にて掘り起こされた収穫物を搬送する搬送コンベヤと、この搬送コンベヤにて搬送された収穫物を収容するコンテナを載置するコンテナ台とを具備したものである。
【００１５】
そして、掘起体にて掘り起こされた収穫物が搬送コンベヤにて搬送され、この搬送コンベヤにて搬送された収穫物がコンテナ台に載置したコンテナ内に確実に収容される。
【００１６】
請求項６記載の収穫方法は、圃場面を被覆したマルチフィルムを圃場面から剥離することにより、このマルチフィルムのマルチ孔に挿通されて倒伏状態にある茎葉部を起立状態にし、この起立状態になった茎葉部をマルチフィルムで保持しながらこのマルチフィルムの下方位置で切断し、切断した茎葉部を一側方に向けて下方向に傾斜したマルチフィルムの表面上を略一側方に向って自重により移動させてこのマルチフィルムの一側縁から圃場面上に自重落下させ、茎葉部が切断された収穫物を土中から掘り起こすものである。
【００１７】
そして、マルチフィルムを剥離することにより茎葉部を起立状態にし、この起立状態になった茎葉部をマルチフィルムで保持しながらこのマルチフィルムの下方位置で切断するため、収穫物の茎葉部がマルチフィルムにて一定の姿勢に適切に保持されつつ所定の位置で確実に切断される。また、切断した茎葉部を一側方に向けて下方向に傾斜したマルチフィルムの表面上を略一側方に向って自重により移動させてこのマルチフィルムの一側縁から圃場面上に自重落下させることにより、圃場面上に機体の進行方向に沿って廃棄できる。
【００１８】
【発明の実施の形態】
以下、本発明の収穫機の一実施の形態の構成を図面を参照して説明する。
【００１９】
図１および図２は、マルチフィルムＦを用いたマルチ栽培により圃場に植生された収穫物としての地下茎菜類、例えば可撓性の茎葉部Ｔ1 を有する鱗茎菜類としての玉葱Ｔを複数条同時に収穫する収穫機の全体を示す図である。
【００２０】
これら図１および図２において、１は機体で、この機体１は、全長にわたって略一定の幅寸法をもって進行方向Ｘに長手方向を有する細長形状に形成されている。
【００２１】
そして、この機体１は、前側上部にトラクタ連結部２を備え、このトラクタ連結部２がトラクタ３のヒッチ部４に連結され、このトラクタ３にてこの機体１が進行方向Ｘに牽引される。また、このトラクタ３の図示しない動力取出軸（ＰＴＯ軸）には、機体１の入力軸５が図示しない動力伝達軸を介して連結され、この入力軸５によりトラクタ３からの動力が機体１に入力される。なお、この入力軸５は、左右一対の側枠７に立設した支枠8a間に橋架された横方向に細長状の主枠９の中央部に回転自在に設けられている。
【００２２】
また、前記トラクタ連結部２は、例えばトップアーム11と左右一対のロワアーム12とを有し、このトップアーム11の基端部が前記主枠９の中央部に連結され、このトップアーム11の先端部には図示しないトップピンが取り付けられる。また、両ロワアーム12の基端部が前記主枠９の両端部に連結され、この両ロワアーム12の先端部にはロワピン13が互いに対向して内方に向って突出形成されている。なお、このトップアーム11と両ロワアーム12とが一対の連結部材14にて連結されている。
【００２３】
さらに、この機体１は、前側下部に茎葉部切断手段21を備え、この茎葉部切断手段21の後方には掘起体22が配設され、この掘起体22の後方には搬送コンベヤ23が前記機体１の前側下部から後側上方に向って配設され、この搬送コンベヤ23の後方には収容部25が前記機体１の後端部に位置して設けられている。また、この機体１にはマルチフィルムＦを剥離しつつ巻取り回収するフィルム剥離手段26が設けられている。
【００２４】
この茎葉部切断手段21は、図３に示されるように、前記フィルム剥離手段に26にて剥離回収中のマルチフィルムＦの上方への移動によりこのマルチフィルムＦのマルチ孔Ｆ1 に挿通された状態で倒伏状態から起立状態になった茎葉部Ｔ1 を、マルチフィルムＦの下方位置で切断するものである。
【００２５】
そして、この茎葉部切断手段21は、複数の固定刃31を有し、これら複数の固定刃31は前記機体１の前側下部にこの機体１の幅方向に沿って互いに近接して固定した状態で設けられている。また、各固定刃31は先端に向って幅狭状の台形板状に形成され、例えば水平状に配設され、この各固定刃31の基端部が前記両側枠７の先端部間に橋架された細長板状の固定刃取付け体32に取り付けられている。
【００２６】
また、この茎葉部切断手段21は、複数の可動刃34を有し、これら複数の可動刃34は前記機体１の幅方向に前記固定刃31の上面に沿って摺動自在に配設されている。
【００２７】
すなわち、前記固定刃取付け体32の両端部の上方には、スプロケット等の回転体35が配設され、この回転体35にはチェーン等の無端体36が回行可能に巻き掛けられ、この無端体36の外周面部に回行方向に互いに間隔をおいて前記各可動刃34が水平状に取り付けられている。なお、各可動刃34は、例えば先端が尖った三角板状に形成されている。
【００２８】
そして、この無端体36の回行により各可動刃34が各固定刃31の上面に沿って一方向に摺動し、図１に示されように、各固定刃31が受け刃となって、これら可動刃34および固定刃31のそれぞれの側縁部にて挟まれるようにして茎葉部Ｔ1 が所定位置で確実にきれいに切断される。なお、この各可動刃34は、例えば先端が尖った三角板状に形成されている。
【００２９】
前記掘起体22は、前記茎葉部切断手段21にて茎葉部Ｔ1 が切断された玉葱Ｔを掘り起こす先金等にて構成されたもので、例えば、前記機体１の幅方向に長手方向を有する矩形板状に形成され、前側縁部が凸凹状に形成されている。この掘起体22は、前記両側枠７の先端部間に橋架され、例えば前側に向ってすなわち前記機体１の進行方向Ｘに向って下方向に傾斜した傾斜状に配設されている。
【００３０】
そして、この掘起体22にて前記機体１の前進に伴い土中に存在する玉葱Ｔが掘り起こされ、この掘り起こされた玉葱Ｔは前記搬送コンベヤ23の搬送始端に供給される。
【００３１】
この搬送コンベヤ23は、前記掘起体22にて掘り起こされこの掘起体22から送られてくる玉葱Ｔを前記収容部25に向けて搬送するものである。
【００３２】
そして、この搬送コンベヤ23は、従動回転体41を有し、この従動回転体41は前記掘起体22の後端縁部の近傍に位置して前記両側枠７間に橋架されている。また、この従動回転体41と離間対向して原動回転体42が前記両側枠７の後端部間に橋架され、これら原動回転体42および従動回転体41に搬送用無端体43が回行可能に取り付けられている。この搬送用無端体43は例えば複数のリンクロッド44にて構成され、この搬送用無端体43による搬送中にはこの搬送用無端体43の振動等により各リンクロッド44間から適宜に土等が落下する。
【００３３】
前記収容部25は、前記搬送コンベヤ23の搬送終端部からシュート46を通って送られてくる玉葱Ｔを収容するコンテナ47を備えている。また、前記機体１の側枠７の後端部にはコンテナ台48が高さ位置調節可能に取り付けられ、このコンテナ台48に前記コンテナ47が着脱自在に載置される。なお、両側枠７の後端部には左右一対の支持輪50が高さ位置調節可能に取り付けれらている。
【００３４】
前記フィルム剥離手段26は、圃場面を被覆したマルチフィルムＦを、図４に示されるように切断された茎葉部Ｔ1 が回収中のマルチフィルムＦの表面上を略一側方に向って自重により移動してこのマルチフィルムＦの一側縁から自重落下するように、このマルチフィルムＦを一側方に向けて下方向に傾斜させながら剥離し、回収するものである。
【００３５】
そして、このフィルム剥離手段26は、マルチフィルムＦを順次剥離しながら巻取り回収するフィルム巻取りローラ51を有し、このフィルム巻取りローラ51は前記機体１の上部にこの機体１の幅方向に沿って配設されている。すなわち、このフィルム巻取りローラ51は前記両側枠７の長手方向の略中央部に立設した支枠8b間に回転自在に橋架され、この支枠8bにて一端側に向って下方向に傾斜して軸支されている。なお、このフィルム巻取りローラ51は、前記入力軸５から入力された動力により所定の回転速度をもって強制的に回転するようになっている。
【００３６】
また、このフィルム剥離手段26は、マルチフィルムＦを下側から支持しつつこのマルチフィルムＦを前記フィルム巻取りローラ51に案内するフィルムガイド体52を有し、このフィルムガイド体52は、前記機体１の前側下部から後ろ斜め上方に向って設けられ、前記機体１の一側方に向って下方向に傾斜状である。
【００３７】
このフィルムガイド体52は、例えば、複数のガイド体形成棒部材53にて構成されている。この各ガイド体形成棒部材53は、前記両側枠７間の捩じった平面上に位置するようにして、前記機体１の進行方向Ｘに略沿って配設されている。
【００３８】
すなわち、各ガイド体形成棒部材53の先端部が略同じ地上高さ位置に位置し、前記両側枠７の先端部より前方に突出している。なお、この両側枠７の先端部には、マルチフィルムＦの両側部上に載置されたフィルム重し用の覆土を排除する左右一対のフィルム掘起刃等にて構成された排土体55が前方に向って突設されている。一方、各ガイド体形成棒部材53の基端部は、前記フィルム巻取りローラ51に近接した互いに異なる高さ位置に位置している。なお、各ガイド体形成棒部材53は前記両側枠７間に橋架された図示しない支持部材にて支持されている。
【００３９】
さらに、このフィルム剥離手段26は、前記フィルムガイド体52の中央部近傍部分とともにマルチフィルムＦの一部を挟むフィルム押えローラ57を有している。このフィルム押えローラ57は、前記機体１の上部にこの機体１の幅方向に沿って前記フィルム巻取りローラ51と平行に配設されている。すなわち、このフィルム押えローラ57は前記両側枠７の長手方向の略中央部に立設した支枠8a間に回転自在に橋架され、この支枠8aにて一端側に向って下方向に傾斜して軸支されている。なお、このフィルム押えローラ57は、下部にてマルチフィルムＦに接触し、この接触したマルチフィルムＦから回転力を受けて所定の回転速度をもって回転するようになっている。
【００４０】
一方、前記機体１の動力伝達機構について説明すると、前記トラクタ３からの動力を機体１に入力する入力軸５には、伝達軸60が図示しない歯車等を介して連結され、この伝達軸60は前記主枠９内に回転自在に配設されている。
【００４１】
そして、この伝達軸60の一端部には巻取りローラ用伝動手段58が連結され、この巻取りローラ用伝動手段58はこの伝達軸60からの動力を前記フィルム巻取りローラ51に伝達するもので、例えば、ベルト伝動等の巻き掛け伝動機構59等にて構成されている。
【００４２】
また、この伝達軸60の他端部には第１の伝動手段61および第２の伝動手段62が連結されている。この第１の伝動手段61は、前記伝達軸60からの動力を前記茎葉部切断手段21の回転体35に伝達するもので、例えば、ベルト伝動等の巻き掛け伝動機構63、傘歯車64で接続した連結軸65等にて構成されている。一方、前記第２の伝動手段62は、前記伝達軸60からの動力を前記搬送コンベヤ23の原動回転体42に伝達するもので、例えば、ベルト伝動等の巻き掛け伝動機構66等にて構成されている。
【００４３】
次に、上記一実施の形態の動作を説明する。
【００４４】
マルチ栽培により圃場に植生された玉葱Ｔを複数条同時に収穫する場合、トラクタ３のヒッチ部４に機体１のトラクタ連結部２を連結するとともに、トラクタ３のＰＴＯ軸に機体１の入力軸５を連結する。
【００４５】
そして、このトラクタ３からの動力が入力軸５により機体１に入力されると、その動力は伝達軸60を介して第１の伝動手段61および第２の伝動手段62に伝達され、その結果、茎葉部切断手段21の回転体35が回転して無端体36の回行により各可動刃34が各固定刃31の上面上を摺動するとともに、搬送コンベヤ23の原動回転体42が回転して搬送用無端体43が回行する。また、トラクタ３からの動力は、入力軸５、伝達軸60を介して巻取りローラ用伝動手段58に伝達され、フィルム巻取りローラ51がマルチフィルムＦを巻き取る方向に回転する。
【００４６】
このような状態で、圃場においてトラクタ３にて機体１を進行方向Ｘに牽引すると、この機体１の前進に伴い、フィルム剥離手段26の排土体55がフィルム重し用の覆土を排除し、フィルムガイド体52がマルチフィルムＦをフィルム巻取りローラ51に案内し、この案内されるマルチフィルムＦをそのフィルム巻取りローラ51が機体１の一側方に向けて下方向に傾斜させながら巻取り回収する。なお、このフィルム巻取りローラ51による巻取時には、フィルム押えローラ57とフィルムガイド体52とでマルチフィルムＦが挟まれ、このマルチフィルムＦは一定の姿勢に保持されつつ巻き取られる。
【００４７】
そして、このフィルム巻取りローラ51の巻取り回収に伴い、マルチフィルムＦが上方へ移動して圃場面から剥離する。
【００４８】
このマルチフィルムＦが圃場面から剥離すると、マルチフィルムＦの表面上に位置してこのマルチフィルムＦのマルチ孔Ｆ1 に挿通された状態にある茎葉部Ｔ1 が、このマルチフィルムＦにて上方に引っ張られるようにして倒伏状態から起立状態になる。
【００４９】
そして、この起立状態になった茎葉部Ｔ1 の上側部分がマルチフィルムＦにて保持され、この茎葉部Ｔ1 がマルチフィルムＦにて一定の姿勢に保持された状態で、この茎葉部Ｔ1 が茎葉部切断手段21の可動刃34および固定刃31にてマルチフィルムＦの下方位置において切断される。
【００５０】
この切断され分離された茎葉部Ｔ1 は、マルチフィルムＦの表面上に位置し、このマルチフィルムＦにて後ろ斜め上方に搬送され、フィルム押えローラ57とマルチフィルムＦとで挟まれた後、図４に示すように、マルチフィルムＦの表面上を略一側方、すなわち一側斜め下方向に自重により滑って移動し、このマルチフィルムＦの一側縁から自重落下し、マルチフィルムＦの剥離された圃場面上に進行方向Ｘに沿って略一列状に廃棄される。
【００５１】
一方、茎葉部Ｔ1 の切断された玉葱Ｔは、掘起体22にて複数条同時に掘り起こされ、この掘り起こされた玉葱Ｔは搬送コンベヤ23の搬送始端に供給される。なお、この玉葱Ｔとともに搬送コンベヤ23に供給された土等は、搬送用無端体43の振動等により各リンクロッド44間から圃場面に落下する。
【００５２】
そして、この搬送コンベヤ23の搬送始端に供給された玉葱Ｔは、搬送コンベヤ23にて収容部25に向けて搬送され、この収容部25のコンテナ47内に順次収容される。
【００５３】
このようにして、上記一実施の形態によれば、茎葉部切断手段21が、マルチフィルムＦの上方への移動による圃場面からの剥離によりマルチフィルムＦのマルチ孔Ｆ1 に挿通された状態で、倒伏状態から起立状態になった茎葉部Ｔ1 を、マルチフィルムＦの下方位置で切断するので、茎葉部Ｔ1 をマルチフィルムＦにて一定の姿勢に適切に保持しつつ、この茎葉部切断手段21にて茎葉部Ｔ1 を所定の位置で確実に切断でき、後に手作業による切断作業を必要とせず、マルチフィルムＦを利用することによって、効率良く収穫作業をすることができる。
【００５４】
また、フィルム剥離手段26が、マルチフィルムＦを一側方に向けて下方向に傾斜させながら剥離するので、切断された茎葉部Ｔ1 をマルチフィルムＦの一側縁から自重落下させることにより、茎葉部Ｔ1 を圃場面上に機体１の進行方向Ｘに沿って一列に廃棄でき、茎葉部Ｔ1 がマルチフィルムＦ上に残ることがなく、茎葉部Ｔ1 が散乱することを確実に防止できる。
【００５５】
さらに、フィルムガイド体52が、マルチフィルムＦをフィルム巻取りローラ51に案内し、この案内されたマルチフィルムＦをそのフィルム巻取りローラ51が巻取り回収するので、フィルム剥離手段26にてマルチフィルムＦを確実に剥離しつつ回収できる。
【００５６】
また、フィルム剥離手段26にて回収中のマルチフィルムＦが、フィルム押えローラ57とフィルムガイド体52とで挟まれ、一定の姿勢に保持されるので、フィルム剥離手段26にてマルチフィルムを適切な状態に回収できる。
【００５７】
さらに、掘起体22で掘り起こした玉葱Ｔを搬送コンベヤ23で搬送し、この搬送コンベヤ23で搬送した玉葱Ｔをコンテナ台48に着脱自在に載置したコンテナ47内に確実に収容できる。
【００５８】
なお、上記一実施の形態においては、フィルム剥離手段26は、マルチフィルムＦを一側方に向けて下方向に傾斜させながら剥離する構成として説明したが、例えば、傾斜させずに水平のまま剥離する構成でもよい。
【００５９】
また、フィルム剥離手段26は、フィルム巻取りローラ51にてマルチフィルムＦを剥離しながら巻取り回収する構成について説明したが、例えば、図示しない対をなすローラにてマルチフィルムＦを剥離しながら、途中でこのマルチフィルムＦを図示しないカッター等の切断手段で細かく切断し、この切断片を回収または圃場面上に廃棄する構成とすることもできる。
【００６０】
さらに、いずれの実施の形態においても、機体１の後端部には、コンテナ台48等にて構成された収容部25を設けた構成について説明したが、例えば収容部25は必ずしも必要ではない。例えば、土が湿っていて、土塊等の振るいが悪くまたは玉葱Ｔの根に土が付着し、コンテナ47への収容が不適当な場合には、玉葱Ｔをコンテナ47に収容せず、圃場面上に放置することができる。
【００６１】
また、いずれの実施の形態においても、図示しない付勢手段にてフィルム押えローラ57を下方向に付勢し、このフィルム押えローラ57にてマルチフィルムＦに一定の張力が作用するようにしてもよい。
【００６２】
【発明の効果】
請求項１記載の発明によれば、茎葉部切断手段が、マルチフィルムの剥離によりマルチ孔に挿通された状態で倒伏状態から起立状態になった茎葉部をマルチフィルムの下方位置で切断するので、収穫物の茎葉部をマルチフィルムにて一定の姿勢に適切に保持しつつこの茎葉部切断手段にて所定の位置で確実に切断でき、効率良く収穫作業をすることができる。
【００６３】
請求項２記載の発明によれば、フィルム剥離手段が、マルチフィルムを一側方に向けて下方向に傾斜させながら剥離するので、切断された茎葉部をマルチフィルムの一側縁から自重落下させ、圃場面上に機体の進行方向に沿って廃棄できる。
【００６４】
請求項３記載の発明によれば、フィルムガイド体がマルチフィルムをフィルム巻取りローラに案内し、この案内されたマルチフィルムをそのフィルム巻取りローラが巻取り回収するので、フィルム剥離手段にてマルチフィルムを確実に剥離しつつ回収できる。
【００６５】
請求項４記載の発明によれば、マルチフィルムがフィルム押えローラとフィルムガイド体とで挟まれ、一定の姿勢に保持されるので、フィルム剥離手段にてマルチフィルムを適切な状態に回収できる。
【００６６】
請求項５記載の発明によれば、掘起体で掘り起こした収穫物を搬送コンベヤで搬送し、この搬送コンベヤで搬送した収穫物をコンテナ台に載置したコンテナ内に確実に収容できる。
【００６７】
請求項６記載の発明によれば、マルチフィルムを剥離することにより茎葉部を起立状態にし、この起立状態になった茎葉部をマルチフィルムで保持しながらこのマルチフィルムの下方位置で切断するため、収穫物の茎葉部をマルチフィルムにて一定の姿勢に適切に保持しつつ所定の位置で確実に切断でき、効率良く収穫作業をすることができる。また、切断した茎葉部を一側方に向けて下方向に傾斜したマルチフィルムの表面上を略一側方に向って自重により移動させてこのマルチフィルムの一側縁から圃場面上に自重落下させることにより、圃場面上に機体の進行方向に沿って廃棄できる。
【図面の簡単な説明】
【図１】本発明の収穫機の一実施の形態を示す斜視図である。
【図２】同上収穫機を示す側面図である。
【図３】同上収穫機の作用を説明するための説明図である。
【図４】同上収穫機のフィルム剥離手段を示す斜視図である。
【符号の説明】
１    機体
21    茎葉部切断手段
22    掘起体
23    搬送コンベヤ
26    フィルム剥離手段
47    コンテナ
48    コンテナ台
51    フィルム巻取りローラ
52    フィルムガイド体
57    フィルム押えローラ
Ｔ    収穫物としての玉葱
Ｔ1   茎葉部
Ｆ    マルチフィルム
Ｆ1   マルチ孔
【図１】
0004059587.tif 000002
【図２】
0004059587.tif 000003
【図３】
0004059587.tif 000004
【図４】
0004059587.tif 000005